(57)【特許請求の範囲】
【請求項１】
電気的基準器（ＭＥ）と、電気的に接続されて、静電気を帯びることができる保護窓ＦＰにより各々がカバーされる、少なくとも二つの光電池（Ｃ）を備えた領域とを含む、機器（ＥＱ）用の太陽発電機（ＧＳ）であって、
ｉ）前記領域の少なくとも一つの選択された場所（ＥＣ）で、一次電気アークの発生をその選択された場所（ＥＣ）において行わせるような、静電荷を局部的に増大させるために適した増大手段（ＭＩ）と、
ｉｉ）前記一次電気アークにより誘起される放電電流を、その電気的基準器（ＭＥ）に向けて放出するように、前記増大手段（ＭＩ）を前記機器（ＥＱ）の前記電気的基準器（ＭＥ）に結合するために適した放電手段（ＥＬ、ＬＭ）と
を含み、
前記増大手段（ＭＩ）が、電気的に絶縁された接着手段により接着された誘電性の保護材料の組合せからなる、少なくとも一つの保護窓から構成され、
前記増大手段（ＭＩ）の各保護窓が、前記光電池（Ｃ）の前記保護窓（ＦＰ）の少なくとも一部がそこから作製される対応した材料のものとは異なる誘電特性を有する、少なくとも一つの材料で作製される
ことを特徴とする太陽発電機。
【請求項２】
前記増大手段（ＭＩ）の各保護窓が、そこから前記光電池（Ｃ）の保護窓（ＦＰ）の保護材料が作製されるものと同一の保護材料で作製され、そして前記増大手段（ＭＩ）の各保護窓の保護材料の厚さが、前記光電池（Ｃ）の保護窓（ＦＰ）の保護材料の厚さよりも厳密に大きくなるように選択されることを特徴とする、請求項１に記載の太陽発電機。
【請求項３】
前記増大手段（ＭＩ）の各保護窓が、そこから前記光電池（Ｃ）の保護窓（ＦＰ）の保護材料が作製されるものと同一の保護材料で作製され、そして前記増大手段（ＭＩ）の各保護窓の前記接着手段の厚さが、前記光電池（Ｃ）の保護窓（ＦＰ）の前記接着手段の厚さよりも厳密に大きくなるように選択されることを特徴とする、請求項１に記載の太陽発電機。
【請求項４】
前記増大手段（ＭＩ）の各保護窓が、真空にさらされた電気的に浮遊している金属を含むことを特徴とする、請求項１に記載の太陽発電機。
【請求項５】
相互に電気的に接続された複数の光電池を各々が含む、複数のパネル（Ｐｉ）を含み、そして前記増大手段（ＭＩ）が少なくとも一つの前記パネル（Ｐｉ）において、少なくとも一つの選択された場所（ＥＣ）に設置されることを特徴とする、請求項１〜４のいずれか一項に記載の太陽発電機。
【請求項６】
前記増大手段（ＭＩ）が、前記機器（ＥＱ）の支持構造（ＳＥ）からもっとも遠い距離にあるように意図されたパネル（Ｐ１）上に位置する、少なくとも一つの選択された場所（ＥＣ）に設置されることを特徴とする、請求項５に記載の太陽発電機。
【請求項７】
前記放電手段（ＥＬ、ＬＭ）が、前記増大手段（ＭＩ）の近傍に位置する電極（ＥＬ）と、前記電極（ＥＬ）に接続されて、前記機器（ＥＱ）の前記電気的基準器（ＭＥ）に結合されるために適した接地線（ＬＭ）とを含むことを特徴とする、請求項１〜６のいずれか一項に記載の太陽発電機。
【請求項８】
前記接地線（ＬＭ）が、前記放電電流の大きさ、及び／又は持続時間、及び／又は生成日時、及び／又は生成周波数を測定するように構成される、測定手段（ＳＭ、ＭＭ）に結合されることを特徴とする、請求項７に記載の太陽発電機。
【請求項９】
残りの前記太陽発電機（ＧＳ）から前記接地線（ＬＭ）を電気的に絶縁するように構成される、絶縁手段を含むことを特徴とする、請求項７又は８に記載の太陽発電機。
【請求項１０】
前記絶縁手段が二重絶縁を提供するように構成されることを特徴とする、請求項１に記載の太陽発電機。
【請求項１１】
前記電極（ＥＬ）が、中央部分（ＰＣ）と、前記増大手段（ＭＩ）に固定された周辺部分（ＰＰ）とを含む、導電性の板からなることを特徴とする、請求項７〜１０のいずれか一項に記載の太陽発電機。
【請求項１２】
前記電極（ＥＬ）が、前記増大手段（ＭＩ）の背面に固定され、他の光電池（Ｃ）から電気的に切り離された光電池であることを特徴とする、請求項７〜１０のいずれか一項に記載の太陽発電機。
【請求項１３】
前記光電池（Ｃ）が半導体材料で作製されることを特徴とする、請求項１〜１２のいずれか一項に記載の太陽発電機。
【請求項１４】
前記光電池（Ｃ）がガリウムヒ素（ＡｓＧａ）のタイプのものであることを特徴とする、請求項１３に記載の太陽発電機。
【請求項１５】
前記光電池（Ｃ）がマルチ接合のタイプのものであることを特徴とする、請求項１４に記載の太陽発電機。
【請求項１６】
請求項１〜１５のいずれか一項に記載の、少なくとも一つの太陽発電機（ＧＳ）を含むことを特徴とする宇宙機。
【請求項１７】
増大手段（ＭＩ）及び放電手段（ＥＬ、ＬＭ）を有さない、少なくとも一つの太陽発電機を含むことを特徴とする、請求項１６に記載の宇宙機。
【発明の詳細な説明】
【技術分野】
【０００１】
本発明は太陽発電機に関し、特に、例えば人工衛星のような宇宙機の機上における太陽発電機に関する。
【背景技術】
【０００２】
太陽発電機は通常、各々が保護窓（又はスクリーン或いはフィルタ）によりカバーされる、電気的に接続された光電池を含む。これらの保護窓（又はスクリーン）は、それらに対して一定の耐用年数を保証するために、光電池をある種の放射、例えば陽子流及び／又は電子流から保護するように意図される。その上、これらの保護窓（又はスクリーン）は陽子がそれらを通過できるようにしなければならず、それらは一般に（例えば「カバーガラス」タイプの）ガラス材料から作製され、導電性でない透明な糊又は接着剤により接着される。これらの材料は導電性ではないため、それらは静電気を帯びやすく、それは時々その保護窓とそれがカバーする光電池、又は隣接する光電池との間で、一次電気アーク（又は静電気放電（ＥＳＤ））として知られている、局部的な電気アーク放電を起こす。
【０００３】
ここで、「保護窓」という用語は、電池を保護するための材料（例えばカバーガラス）と、その糊又はその接着剤とを含む集合体を示す。
【０００４】
当業者が知っているように、一次電気アークは二つの部分からなる。
【０００５】
第一の部分は「吹き出し」として知られている。それは、そこに太陽発電機が設置されている機器（例えば衛星）の全体の静電容量の急速な放電により誘起される電流の形をとる。
【０００６】
第二の部分は「フラッシュオーバー」として知られている。それは約１０４ｍ／ｓの速度における漸進的な伝播メカニズムによる、少なくとも幾つかの光電池の保護窓のゆっくりした放電によって誘起される電流の形をとる。この伝播メカニズムは、隣接する電池の保護窓の間に生成されるプラズマのために、分岐を構成するように直列に搭載された電池の保護窓から、一次電気アークの対象である電池の保護窓に向けて移動する。それはまた、プラズマのため及び、それらの電気的接続を通じた、一次電気アークの対象である分岐から、隣接する分岐へのゆっくりとした放電電流の循環のために、一次電気アークの対象である電池を含む分岐に隣接する分岐の部分である電池の保護窓から、一次電気アークの対象である電池の保護窓に向けて移動する。ゆっくりとした放電電流は、陽極である、陰極の反対側端部がダイオードのような電流阻止手段を一般的に備えるならば、陰極である分岐の端部を経由して一般的に循環する。
【０００７】
フラッシュオーバー（又はゆっくりした放電）は、光電池が作製される材料に依存するしきい値をその継続時間が超えた場合、その光電池の幾つかを損傷し得る。これは特に、光電池がガリウムヒ素（ＡｓＧａ）のような半導体材料から作製され、そしてフラッシュオーバー（又はゆっくりとした放電）の継続時間が約１００μｓよりも長い場合である。この損傷は光電池の耐用年数を減少させ（従ってそれらの信頼性を減少させ）、それはその電池を交換できない場合に特に問題である。
【発明の開示】
【発明が解決しようとする課題】
【０００８】
従って、本発明は前述の欠点を少なくとも部分的に改良する目的を有する。
【課題を解決するための手段】
【０００９】
このため、本発明は電気的基準器を含み、電気的に接続されて、静電気を帯びることができる保護窓ＦＰにより各々がカバーされる、少なくとも二つの光電池を備えた領域を含む機器用の太陽発電機を提案する。
【００１０】
この太陽発電機は、
その領域の少なくとも一つの選択された場所で、一次電気アークの発生をその選択された場所において行わせるような、静電荷を局部的に増大させる働きをする増大手段と、
一次電気アークにより誘起される放電電流を、その電気的基準器に向けて放出するように、増大手段を機器の電気的基準器に結合するように構成された放電手段と
を含むことを特徴とする。
【００１１】
従って増大手段は、それらが誘起する放電電流が、太陽発電機の活性格子の光電池を損傷することなく、放電手段により放出され得るように、選択された場所において一次電気アークを局在化させることによって、「避雷針」と同様の働きをする。
【００１２】
本発明の太陽発電機は、特に以下のような、個別又は組合せでの他の特徴を有することができる。
その増大手段は、電気的に絶縁された接着手段（糊又は接着剤）により接着された誘電性の保護材料の組合せからなる、少なくとも一つの保護窓から構成されることができ、
増大手段の各保護窓は、例えば光電池の保護窓の少なくとも一部がそこから作製される対応した材料のものとは異なる誘電特性を有する、少なくとも一つの材料で作製されることができる。この材料は例えば、より電気的に絶縁性であり、及び／又はより大きな第二の放射特性を有することができる。
第一の変形において、増大手段の各保護窓は、そこから光電池の保護窓（例えばカバーガラス）が作製されるものと同一の保護材料で作製され、増大手段の各保護窓の保護材料の厚さは、この場合、光電池の保護材料の厚さよりも厳密に大きくなるように選択される。
第二の変形において、増大手段の各保護窓は、例えば（保護窓用に通常使用されるものと同一か、又は同一でない）保護材料で作製されることができ、そして保護窓用に通常使用されるものよりも大きい厚さを有する糊又は接着剤と組み合わされるか、或いはより高い電気抵抗を有する糊又は接着剤と組み合わされる。
第三の変形において、増大手段の各保護窓は、静電気放電の発生に好適な「金属−真空−誘電性」の３点を形成するように、真空にさらされた電気的に浮遊している金属を含み得る。この浮遊している金属は、例えば保護材料の内面に位置するか、又はその外面、或いは接着剤か糊上にも位置することができる。
それは相互に電気的に接続された複数の光電池を各々が含む、複数のパネルを含むことができ、この場合、増大手段は少なくとも一つのパネル上の、少なくとも一つの選択された場所に設置される。
増大手段は、機器の支持構造から最も遠い距離にあるように意図されたパネル上に位置する、少なくとも一つの選択された場所に設置され得る。
その放電手段は、例えば増大手段の近傍に位置する電極と、電極に接続されて機器の電気的基準器に結合されるように構成された接地線とを含み得る。
接地線は放電電流の大きさ、及び／又は持続時間、及び／又は生成日時、及び／又は生成周波数を測定する働きをする、測定手段に結合され得る。
それは残りの太陽発電機から接地線を電気的に絶縁する働きをする、絶縁手段を含むことができる。
電極は、例えば中央部分と、増大手段に固定された周辺部分とを含む、導電性の板からなることができる。
電極は増大手段の背面に固定され、他の光電池から電気的に切り離された光電池であり得る。
その光電池は半導体材料、例えばガリウムヒ素（ＡｓＧａ）で作製され得る。
【００１３】
本発明は特に宇宙機、そしてとりわけ人工衛星に良く適しているが、その専用ではない。
【００１４】
本発明の他の特徴及び利点は、以下の詳細な説明を読み、添付図面を調べることにより明らかになるであろう。
【００１５】
添付図面は本発明の説明の一部分を構成すると共に、必要に応じて本発明の定義に寄与する。
【発明を実施するための最良の形態】
【００１６】
本発明の一つの目的は、太陽発電機の光電池の保護窓において、静電荷の蓄積により誘起される一次電気アーク（又は静電気放電（ＥＳＤ））を、それらが導電性でない材料で製造される理由により、集中させることである。
【００１７】
これ以降、限定されない例として、太陽発電機は例えば人工衛星のような宇宙機上に設置されるように意図されると考える。しかしながら、本発明はその用途には限定されない。本発明は電気的基準器及び、一次電気アークの部位になり易い、少なくとも一つの太陽発電機（すなわち、能動アンテナのように真空にさらされる、差動有効電圧を有する機器）を有する、任意のタイプの装置又はシステムに関する。
【００１８】
その上、本発明は電気的に接続され、静電荷を帯びることができる保護窓により各々がカバーされる、少なくとも二つの光電池がその中に設置された、少なくとも一つの領域を太陽発電機が含む場合に適用される。
【００１９】
図１に示す限定されない例において、太陽発電機ＧＳは相互に機械的及び電気的に接続された四つのパネルＰｉ（ｉ＝１〜４）を含む。
【００２０】
パネルの一つ、ここでＰ４は「ヨーク」として知られる連接された支持体ＹＯを経由して、宇宙機（又は機器）ＥＱの構造ＳＥに接続されている。
【００２１】
各パネルＰｉは電気的に直列又は並列に接続された、少なくとも二つの光電池Ｃの集合体を含む。パネルＰｉの集合体は、一般的には相互に電気的に接続されている。図２の接地線図に示す例において、光電池Ｃの集合体は宇宙機の電気的基準器ＭＥに接続されている。更に、各パネルＰｉは二つの抵抗器（パネルＰ１に対してＲ１及びＲ２、パネルＰ２に対してＲ３及びＲ４、パネルＰ３に対してＲ５及びＲ６、そしてパネルＰ４に対してＲ７及びＲ８）を経由して、二本の電気的接地線ＧＬ１及びＧＬ２に接続されている。連接された支持体（又はヨーク）ＹＯ及び、パネルＰｉを駆動するためのモータＭＲは直列に取り付けられ、二本の電気的接地線ＧＬ１及びＧＬ２に接続されている。その上、二本の電気的接地線ＧＬ１及びＧＬ２は、それぞれの抵抗器Ｒ９とＲ１０を経由して宇宙機ＥＱの電気的基準器ＭＥに接続されている。この電気的基準器ＭＥは、宇宙機ＥＱの制御バスの例えば０Ｖである。
【００２２】
最後に、図２の接地線図において、宇宙機ＥＱの電気的基準器ＭＥに接続されたコンデンサＣＥは、宇宙機の電気的静電容量を表わす。
【００２３】
図１に示す限定されない例において、光電池Ｃの各集合体は、電気的に並列に接続され、相互に直列に電気接続された少なくとも二つの光電池Ｃを含む、三つの分岐Ｂ１〜Ｂ３を含む。このタイプの集合体は当然ながら、単なる一例である。少なくとも二つの光電池Ｃの任意の組合せは、パネルＰｉの領域に設置される光電池Ｃの集合体を構成し得る。
【００２４】
各々の能動的な光電池Ｃ、すなわち太陽発電機ＧＳ内で電流の発生に寄与している各電池は、半導体材料で製造され得る。例えば、それらはガリウムヒ素（ＡｓＧａ）のタイプのものである。この場合、それらは単一接合、又はマルチ接合のタイプのものであり得る。しかしながら、光電池は同様にシリコンタイプのものであり得る。
【００２５】
その上、各々の能動的な光電池Ｃは、（例えばカバーガラスタイプの）保護窓（又はスクリーン）ＦＰでカバーされた前面を含む。本発明は導入部で与えられた定義に従い、静電荷の蓄積、従って一次電気アーク（又は静電気放電（ＥＳＤ））の部位になり易い、任意のタイプの保護窓（又はスクリーン）ＦＰに関する。
【００２６】
上述のように、本発明はこれらの能動的な光電池Ｃの保護窓ＦＰにおける、静電荷の蓄積により誘起される一次電気アークを、能動的な光電池Ｃを含む領域の少なくとも一つの選択された場所ＥＣにおいて集中させることを提案する。
【００２７】
より正確には、本発明はまず、この選択された場所ＥＣにおいて一次電気アークを発生させるために、機器（又は宇宙機、或いはシステム）ＥＱの少なくとも一つの太陽発電機ＧＳの能動的な光電池Ｃを含む領域の、少なくとも一つの選択された場所ＥＣにおいて、静電荷を局部的に増大させるための増大手段ＭＩを設置することを提案する。本発明はまた増大手段ＭＩの存在によって、局部的に生成された一次電気アークにより誘起される放電電流を電気的基準器ＭＥに放出するために、放電手段ＥＬ及びＬＭを経由して、増大手段ＭＩを宇宙機ＥＱの電気的基準器ＭＥに結合することを提案する。
【００２８】
従ってそれは一次電気アークを除去する事柄ではなく、もし可能であれば殆ど全ての一次電気アークを発生させる局部的な誘電状態を、能動的な光電池Ｃを含む領域の少なくとも一つの選択された場所ＥＣにおいて作り出す事柄である。言い換えれば、それらが誘起する放電電流が放電手段ＥＬ及びＬＭにより放出されるように、一次電気アークの発生を集中させるための一種の「避雷針」が、各々の選択された場所において局部的に構成される。一次電気アークはもはや能動的な光電池Ｃに到達せず（又は実質的にもはや到達せず）、それらを劣化させない。
【００２９】
太陽発電機ＧＳが多数のパネルＰｉを含む場合、増大手段ＭＩは最も高度に帯電された状態になり易いパネルＰｉ上に位置する、少なくとも一つの選択された場所に設置されることが望ましい。例えば、太陽発電機ＧＳが衛星のような宇宙機ＥＱの装備となる場合、増大手段ＭＩは、図１及び２に示すように、宇宙機ＥＱの支持構造ＳＥから最も遠い距離にあるパネルＰ１上に設置されることが望ましい。
【００３０】
増大手段ＭＩは少なくとも一つの保護窓の形で作製されることが望ましい。これは能動的な光電池Ｃの保護窓ＦＰに通常用いられるものと同じ保護材料（例えばカバーガラス）で製造され得る。この場合、及び一次電気アークの局部的集中に好ましい誘電状態を作り出すため、増大手段ＭＩの各保護窓は能動的な光電池Ｃの保護窓ＦＰの厚さよりも厳密に大きい、選択された厚さを有する。例えば、１００〜１５０μｍの厚さを有するカバーガラスの保護窓ＦＰが使用される場合、増大手段ＭＩの各保護窓は１５０又は２００μｍより大きい、例えば３００又は５００μｍの厚さを有し得る。
【００３１】
保護窓に通常用いられる厚さに関連する保護材料の下の、糊又は接着剤の厚さを増すこともまた想定され得る。
【００３２】
放電の発生に好ましい「金属−真空−誘電性」の３点の条件として知られる条件を作り出すために、真空にさらされた電気的に浮遊している金属を、保護材料に組み合わせることもまた可能である。浮遊している金属は例えば保護材料の内面にあるか、又はその外面、或いは接着剤か糊上にあり得る。
【００３３】
例えば能動アンテナのような、太陽発電機以外の幾つかの宇宙機の機器は、有効電圧、すなわち衛星の発電又は出力調整システムに、直接的にプラス又はマイナスで準拠する有効電圧の存在下で宇宙に直接さらされる、そのような「金属−真空−誘電性」の３点を有する。これらの機器（例えば能動アンテナ）は、従って本発明の増大手段において放電を集中させることにより、その放電から保護されることができる。
【００３４】
しかしながら、増大手段ＭＩの各保護窓が、能動的な光電池Ｃの保護窓ＦＰに使用される材料（例えばカバーガラス及び／又は糊（或いは接着剤））と異なる、保護（誘電）材料で作製されることも同様に想定され得る。この場合、増大手段ＭＩの各保護窓の誘電体は、特により電気的に絶縁性でなければならず、及び／又は能動的な光電池Ｃの保護窓ＦＰよりも大きな第二の放射を有さなければならない。
【００３５】
増大手段ＭＩは複数の（少なくとも二つの）、望ましくは相互に近い、隣接する保護窓から構成され得ることに留意されたい。
【００３６】
放電手段ＥＬ、ＬＭは、望ましくは増大手段ＭＩの近傍に位置する電極ＥＬを含み、接地線ＬＭは電極ＥＬに接続され、宇宙機ＥＱの電気的基準器ＭＥに連結される（ように意図される）。
【００３７】
接地線ＬＭは太陽発電機ＧＳの残りから完全に電気的に絶縁されるために、望ましくは絶縁され、可能であれば二重絶縁された電線である。この（二重）絶縁は例えば（二重の）被覆により得られる。
【００３８】
接地線ＬＭから放出された（一次電気アークにより誘起される）放電電流を制御するため、その接地線は測定手段に結合され得る。例えば、測定手段は放電電流の波形を検出するため、接地線ＬＭに結合された測定探触子ＳＭ、及びその測定探触子ＳＭに結合された測定モジュールＭＭを含み得る。これらの波形のおかげで、測定モジュールＭＭは放電電流の強さ、及び／又は持続時間、及び／又は生成日時、及び／又は生成周波数を測定することができ、そして必要に応じて、無線チャンネルによる伝送後に地上局における、その後の解析用にこの情報をメモリ内に記憶する。
【００３９】
図３Ａ及び３Ｂにおいて概略的に示すように、電極ＥＬは例えば（場合により開口を有する）中央部分ＰＣと、増大手段ＭＩに固定され接地線ＬＭに接続された周辺部分ＰＰとを含む、導電性の板からなることができる。導電性の板ＥＬの周辺部分ＰＰは、例えば増大手段ＭＩの保護窓の（宇宙に面している）前面に接着される。
【００４０】
導電性の板ＥＬは、例えばアルミニウム又は銀のような導電性の材料で製造され得る。
【００４１】
導電性の板の形で作製される代わりに、電極ＥＬは例えばパネルＰｉ上に設置された光電池の一つであり得る。この場合は当然ながら、能動的でない、すなわち能動的な光電池Ｃから電気的に切り離され、従って電流の生成に寄与しない光電池が電極として用いられる。
【００４２】
この場合、電極ＥＬとして働く能動的でない光電池は、増大手段ＭＩの全部又は一部分を構成する、保護窓の背面に固定された（例えば接着された）、（パネルＰｉに対置される）前面を含む。その上、この能動的でない光電池ＥＬは、次にそのパネルＰｉ上に設置された全ての能動的な光電池Ｃに電気的に接続される代わりに、接地線ＬＭに接続される。
【００４３】
機器ＥＱが複数の太陽発電機を含む場合、それら各々は上述のタイプ（すなわち増大手段ＭＩと放電手段ＥＬ及びＬＭを備えるタイプ）であることが必須ではない。重要なのは、少なくとも一つの太陽発電機が本発明に適合し、その他は本発明に適合するか或いは標準タイプ（すなわち増大手段ＭＩと放電手段ＥＬ及びＬＭとを有さないタイプ）のものであることである。機器ＥＱにおける本発明の太陽発電機ＧＳの数と、選択された場所の数、及び本発明の各太陽発電機ＧＳ内のそれら各自の位置は機器ＥＱの任務及び、その各太陽発電機の使用条件（位置及び環境）に依存する。
【００４４】
本発明は多くの利点を提供し、特に、
能動的な光電池からの信頼できる電力の供給を提供し、
能動的な光電池の電力損失に対する、一次電気アークの影響力に関して予備的な統計的検討を回避し、
一次電気アークに応じた能動的な光電池の劣化を特徴付ける、予備試験の実施を回避し、
高密度のプラズマ（電離層、又は電気的推進装置からのプラズマ）に対するＥＳＤ（静電気放電）能力試験を制限する。
【００４５】
本発明は単に例としての、上述の太陽発電機ＧＳ及び機器ＥＱの実施形態に限定されず、添付の特許請求の範囲内で当業者が想定し得る全ての変形を包含する。
【図面の簡単な説明】
【００４６】
【図１】機器の構造に固定された本発明の太陽発電機の一実施形態を、非常に概略的及び機能的に示す。
【図２】例として図１に示す太陽発電機の接地回路の形態の図を、非常に概略的及び機能的に示す。
【図３Ａ−Ｂ】放電電極／増大手段の集合体の一実施形態を、それぞれ断面図及び平面図で非常に概略的及び機能的に示す。
【図１】
0005433893.tif 000002
【図２】
0005433893.tif 000003
【図３Ａ】
0005433893.tif 000004
【図３Ｂ】
0005433893.tif 000005